(57)【要約】【課題】  放電灯の光量を微調整することが可能な放電灯点灯装置を提供する。【解決手段】  少なくとも容量性成分を含んだ放電灯６を高周波駆動する電圧を得る１対のスイッチング素子ＦＥＴ２、ＦＥＴ３と；発振により信号を得て、この信号に基づき前記１対のスイッチング素子をオンオフさせる２石駆動回路４と；上記放電灯６の調光を行うための調光信号を発生する調光信号発生回路２０と；上記調光信号に基づき、該調光信号の一周期毎に前記２石駆動回路４の発振を停止させる発振停止回路７とを具備し；前記２石駆動回路４の発振周波数を、前記調光信号の周波数よりも低く設定したことを特徴とする。【選択図】  図１
2005190955.tif 000002
【特許請求の範囲】
【請求項１】
少なくとも容量性成分を含んだ放電灯を高周波駆動する電圧を得る１対のスイッチング素子と；
発振により信号を得て、この信号に基づき前記１対のスイッチング素子をオンオフさせる２石駆動回路と；
上記放電灯の調光を行うための調光信号を発生する調光信号発生回路と；
上記調光信号に基づき、該調光信号の一周期毎に前記２石駆動回路の発振を停止させる発振停止回路とを具備し；
前記２石駆動回路の発振周波数を、前記調光信号の周波数よりも低く設定したことを特徴とする放電灯点灯装置。
【請求項２】
発光色に青色成分を含むと共に、少なくとも容量性成分を含んだ放電灯を高周波駆動する電圧を得る１対のスイッチング素子と；
発振により信号を得て、この信号に基づき前記１対のスイッチング素子をオンオフさせる２石駆動回路と；
上記放電灯の調光を行うための調光信号に対し、原稿イメージを得るイメージセンサの読取り周期毎に同期期間を設けたクロックを発生するクロック発生回路と；
上記クロックに基づき、該クロックの一周期毎及び同期期間に前記２石駆動回路の発振を停止させる発振停止回路とを具備し；
前記２石駆動回路の発振周波数を、前記調光信号の周波数よりも低く設定したことを特徴とする放電灯点灯装置。
【請求項３】
上記請求項１または２に記載の放電灯点灯装置と；
この放電灯点灯装置に点灯させられ、原稿を照射する放電灯と；
前記原稿に照射された光をイメージセンサに導く光学系と；
を具備することを特徴とする原稿露光装置。
【発明の詳細な説明】
【技術分野】
【０００１】
この発明は、ファクシミリ装置や複写機などに用いられる放電灯を点灯する放電灯点灯装置に関するものであり、特に、少なくとも容量性成分を含んだ放電灯を調光制御するための放電灯点灯装置及びこれを用いた原稿露光装置に関するものである。
【背景技術】
【０００２】
従来のファクシミリ装置等に用いられる希ガス蛍光ランプを点灯する放電灯点灯装置としては、特開２００２−２１６９９３号に記載のものを挙げることができる。
【０００３】
【特許文献１】特開２００２−２１６９９３号（全般）
【０００４】
上記の如き従来の放電灯点灯装置において、調光制御を行う場合にはランプに与える電圧を可変させる手法を採用していた。しかしながら、ランプの電圧を制御する手法では、電圧の僅かな変動によりランプ光量が大きく変化して、微小な調整を行うことは難しかった。つまり、ファクシミリ装置などにおいてランプの調光を行う場合には、住居等の照明の調光と異なり、僅かな調整が必要となるのであるが、上記の従来手法では、これができない問題点が生じる。
【０００５】
また、スイッチングレギュレータ用ＩＣやその外付け部品等が温度特性・電圧特性を持っていることから、点灯周波数が温度や電圧により変化し、使用条件によってランプ光量が変化する問題があった。
【発明の開示】
【発明が解決しようとする課題】
【０００６】
解決しようとする課題は、放電灯の光量を微調整することが可能な放電灯点灯装置を提供することである。また、この放電灯点灯装置を用いた原稿露光装置を提供することを課題とする。
【課題を解決するための手段】
【０００７】
本発明に係る放電灯点灯装置は、少なくとも容量性成分を含んだ放電灯を高周波駆動する電圧を得る１対のスイッチング素子と；発振により信号を得て、この信号に基づき前記１対のスイッチング素子をオンオフさせる２石駆動回路と；上記放電灯の調光を行うための調光信号を発生する調光信号発生回路と；上記調光信号に基づき、該調光信号の一周期毎に前記２石駆動回路の発振を停止させる発振停止回路とを具備し；前記２石駆動回路の発振周波数を、前記調光信号の周波数よりも低く設定したことを特徴とする。
【０００８】
本発明に係る放電灯点灯装置は、発光色に青色成分を含むと共に、少なくとも容量性成分を含んだ放電灯を高周波駆動する電圧を得る１対のスイッチング素子と；発振により信号を得て、この信号に基づき前記１対のスイッチング素子をオンオフさせる２石駆動回路と；上記放電灯の調光を行うための調光信号に対し、原稿イメージを得るイメージセンサの読取り周期毎に同期期間を設けたクロックを発生するクロック発生回路と；上記クロックに基づき、該クロックの一周期毎及び同期期間に前記２石駆動回路の発振を停止させる発振停止回路とを具備し；前記２石駆動回路の発振周波数を、前記調光信号の周波数よりも低く設定したことを特徴とする。
【０００９】
本発明に係る原稿露光装置は、上記請求項１または２に記載の放電灯点灯装置と；この放電灯点灯装置に点灯させられ、原稿を照射する放電灯と；前記原稿に照射された光をイメージセンサに導く光学系と；を具備することを特徴とする。
【発明の効果】
【００１０】
本発明の放電灯点灯装置と原稿露光装置によれば、調光信号に基づき、該調光信号の一周期毎に２石駆動回路の発振を停止し、２石駆動回路の発振周波数を、調光信号の周波数よりも低く設定したので、２石駆動回路の出力信号にデッドタイムが生じ１対のスイッチング素子が同時にオンとなることなく、また、調光信号の周波数変化に応じてスイッチング素子をオンオフさせて放電灯の光量を微調整可能となる。
【００１１】
本発明の放電灯点灯装置と原稿露光装置では、調光信号に対し、原稿イメージを得るイメージセンサの１周期毎に同期期間を設けたクロックに基づき、該クロックの一周期毎に前記２石駆動回路の発振を停止させるので、２石駆動回路の出力信号にデッドタイムが生じ１対のスイッチング素子が同時にオンとなることなく、また、調光信号の周波数変化に応じてスイッチング素子をオンオフさせて放電灯の光量を微調整可能となるだけでなく、イメージセンサの１周期毎に同期期間が生じ、発光色に青色成分を含む放電灯において出力光量が安定することになる。
【発明を実施するための最良の形態】
【００１２】
放電灯の光量を微調整可能とする目的を、調光信号に基づき、該調光信号の一周期毎に２石駆動回路の発振を停止すると共に２石駆動回路の発振周波数を調光信号の周波数よりも低く設定するという簡単な構成により実現した。以下添付図面を参照して本発明に係る放電灯点灯装置及び原稿露光装置の実施例を説明する。各図において、同一の構成要素には同一の符号を付して重複する説明を省略する。
【実施例１】
【００１３】
図１に放電灯６を負荷とする第１の実施例に係る放電灯点灯装置の構成図を示す。放電灯６は、透光性バルブ内に放電を生起させるための１対の電極を備え、その電極の少なくとも１つが上記透光性バルブの外面または内面に設けられたものである。透光性バルブの内面に発光層を有し、内部に希ガスが封入された構成を有する。
【００１４】
上記の放電灯６は図２に外観図を示し図３に縦断面図を示すように、放電容器１１、蛍光体層１２、一対の外部電極１３、１３、アパーチャ１４、透光性樹脂シート１５、透光性絶縁チューブ１６を具備している。
【００１５】
放電容器１１は、細長くて両端が気密に封止された直径１０ｍｍ、実効長さ３７０ｍｍのガラスバルブ１１ａからなり、一端に排気チップオフ部１１ｂを備え、内部に放電媒体としてキセノンが封入されている。蛍光体層１２は、放電容器１１の内面に長手方向に沿ったスリット状の部分を除いて形成されている。
【００１６】
一対の外部電極１３、１３は、それぞれアルミ箔からなり、図２に示すように、平行に離間対向して放電容器１１の外面に貼着することにより配設される。そして、外部電極１３は、予め後述する透光性樹脂シート１５の一面に貼着され、透光性樹脂シート１５を放電容器１１の外周に巻き付けることによって放電容器１１の外面の所定位置に配設される。
【００１７】
また、外部電極１３は、透光性樹脂シート１５の展開図である図５に示されているように、波形状の電極主部１３ａ、端子接続部１３ｂ及び端子１３ｃからなる。電極主部１３ａは、波形状をなして放電容器１１の長手方向の大部分にわたり延在するように構成されている。端子接続部１３ｂは、電極主部１３ａの一端に接続して配設され、端子１３ｃとの接触面積が大きくなるように方形状に形成されている。端子１３ｃは、端子接続部１３ｂに導電性接着剤により接着されているとともに、透光性樹脂シート１５および透光性熱収縮チューブである透光性絶縁チューブ１６から外部へ突出している。
【００１８】
アパーチャ１４は、放電容器１１の長手方向に沿って蛍光体層１２がスリット状に形成されていない部分により形成されている。したがって、放電容器１１のアパーチャ１３の部分は、ガラスバルブ１１ａを介して放電容器１１の内部が素通しになって見える。
【００１９】
透光性樹脂シート１５は、透明なＰＥＴからなり、放電容器１１の実質的全長にわたる長さで、かつ放電容器１１の周囲方向に対してアパーチャ１４の上から被覆するような幅を有している。上述したように、一面に一対の外部電極１３、１３を所定間隔で貼着されている。さらにその上にアクリル系粘着剤を施与して放電容器１１の外面に貼着されている。これにより一対の外部電極１３、１３は、アパーチャ１４を挟んでその両側位置に配設されるが、アパーチャ１４の上にも透光性樹脂シート１５が貼着されている。
【００２０】
透光性絶縁チューブ１６は、透明フッ素系樹脂からなり、外部電極１３、１３およびアパーチャ１４の上から放電容器１１の全周を被覆している。
【００２１】
放電灯６の等価回路は、図４に示すように、コンデンサＣIN1 と負荷抵抗ＲL およびコンデンサＣIN2 の直列回路と、コンデンサＣOUT1とコンデンサＣOUT2との並列回路からなっている。コンデンサＣIN1 およびコンデンサＣIN2 は、外部電極１３と放電容器１１の内面との間に形成される静電容量である。したがって、コンデンサＣIN1 およびコンデンサＣIN2 の静電容量は、外部電極１３の面積、放電容器１１の構成材料であるガラスの比誘電率および厚さ、ならびに外部電極１３を放電容器１１の外面に貼着している粘着剤の比誘電率および厚さにより決定する。このように放電灯６は、少なくとも容量性成分を含んでいる。
【００２２】
上記の放電灯６に対する電源供給は、図１における次の経路で行われる。入力部ＣＮ１中の１番端子と３番端子の間に供給される入力電源電圧を、コンデンサＣ１に蓄積して、チョークコイルＬ１を介して昇圧チョッパ回路のスイッチング素子であるＦＥＴ１によりスイッチングして昇圧する。つまり、ＦＥＴ１がオン状態においてチョークコイルＬ１に１／２（ＬＩ2 ）のエネルギーが蓄積され、ＦＥＴ１がオン状態からオフ状態へ移行するときに、チョークコイルＬ１に生じた誘導電圧をダイオードＤ１を介してコンデンサＣ２へ蓄積する。ＦＥＴ１のドレイン−ソース間にはコイルＬ０とコンデンサＣ０による直列回路が接続されており、このコンデンサＣ０の電位がコンデンサＣ２を超えるときに電流を流してコンデンサＣ２の充電を行っている。
【００２３】
上記のコンデンサＣ２に蓄積された電圧は昇圧トランスＴ１により昇圧されて２次側巻線Ｐ４へ至り、放電灯６へ印加される構成となっている。
【００２４】
一方、放電灯６を高周波駆動して点灯する放電灯駆動回路として、スイッチング素子であるＦＥＴ２とＦＥＴ３と、トランジスタＱ１とトランジスタＱ２によりそれぞれ構成される２つのバッファと、例えばＮＥＣ製のμＰＣ４９４などの２石駆動回路（プッシュプル回路）４等により構成される回路が用いられている。この２石駆動回路４及び後に説明する昇圧駆動回路５は共に、トランジスタＱ３とコンデンサＣ１０等により構成される電源部から電力を供給されて動作するものである。
【００２５】
本実施例では、昇圧チョッパ回路により昇圧された電圧が所定となるように制御を行う昇圧駆動回路５を用いているが、降圧駆動回路を用いることも可能であり、また、昇圧駆動と降圧駆動回路のいずれも設けない構成も許容される。昇圧チョッパ回路を用いる本実施例では、平滑コンデンサＣ２に蓄積された電位を検出するために、コンデンサＣ２に並列に抵抗Ｒ１、Ｒ２による直列回路を接続し、抵抗Ｒ１とＲ２の接続点の電圧についてダイオードＤ２を介して整流し、抵抗Ｒ３とコンデンサＣ３により積分して昇圧駆動回路５へ導く構成を採用している。
【００２６】
昇圧駆動回路５は、上記積分電圧が一定となるように駆動信号ＯＵＴ１によりＦＥＴ１をスイッチングする。このように、昇圧チョッパ回路により昇圧された電圧が所定となるように定電圧制御を行っている。
【００２７】
２石駆動回路４は、一方の出力端子を介してトランジスタＱ１等により構成されるバッファへ制御信号ＯＵＴ２を与え、他方の出力端子を介してトランジスタＱ２等により構成されるバッファへ制御信号ＯＵＴ３を与えて、それぞれのバッファに接続されたＦＥＴ２、３を駆動することにより所要周波数の高周波が昇圧トランスＴ１の１次側巻線Ｐ１、Ｐ２から２次巻線Ｐ４を介して放電灯６へ与えられ、放電灯６が高周波駆動されて点灯するように構成されている。
【００２８】
本実施例においては、放電灯の調光を行うための調光信号を発生する調光信号発生回路２０が備えられており、調光信号発生回路２０はオペレータによるボリュームＶＲの操作を受けて対応する直流レベルを有する調光信号を発生する。調光信号は入力部ＣＮ１の４番端子へ与えられている。
【００２９】
２石駆動回路４は、ＣＴ端子に接続されたコンデンサＣ４の値と、ＲＴ端子に接続された抵抗Ｒ４の値により、出力する制御信号ＯＵＴ２と制御信号ＯＵＴ３の周波数を変更する。つまり、２石駆動回路４は、コンデンサＣ４に対して充電を行い、コンデンサＣ４の電荷の放電を抵抗Ｒ４にて行う結果、コンデンサＣ４に現れる電圧は図６（Ｃ）に示される三角波の波形において図６（Ｂ）における発振停止時間Ｔを含む位置まで上昇した三角波波形となり、この三角波の周波数に対応する周波数にて制御信号ＯＵＴ２と制御信号ＯＵＴ３が作成されて出力される。
【００３０】
本実施例では、２石駆動回路４における発振を発振停止回路７により停止させる構成を採用する。即ち、調光信号発生回路２０により発生された調光信号を発振停止回路７に導き、発振停止回路７が図６（Ａ）に示す調光信号の１周期毎に所定のパルス幅を有するパルスを発生する。この発生された信号を図６（Ｂ）に示す。発振停止回路７は、ＮＡＮＤゲート回路（ＣＭＯＳ−ＩＣ）にて調光信号（図６（Ａ））をディレイさせた信号を作成し、このディレイ信号と元の調光信号を用いてＯＮデューティが小さく、調光信号（図６（Ａ））に同期した信号を発生するものである。調光信号は水晶発振子などの高速・高精度な発振回路により作成されるものである。このため、発振停止回路７を構成する素子も７４ＨＣシリーズ（ＣＭＯＳ）などのゲートＩＣ（ＮＡＮＤ、ＡＮＤ、ＯＲ、インバータ等）により作成することが望ましい。
【００３１】
２石駆動回路４の発振を停止するためにコンデンサＣ４のアース側端子にエミッタが接続され、２石駆動回路４の端子に抵抗を介してコレクタが接続されたトランジスタＱ４が備えられている。上記発振停止回路７の出力をトランジスタＱ４のベースに与えて、トランジスタＱ４をオンオフ（スイッチング）することにより、コンデンサＣ４の両端電圧をゼロとする停止期間を作り出す。また、コンデンサＣ４と抵抗Ｒ４の値を調整して、２石駆動回路４の発振周波数を、上記調光信号の周波数よりも低く設定している。
【００３２】
以上のように構成された放電灯点灯装置においては、入力部ＣＮ１の２番端子へ装置のオンオフを制御する信号与えられており、この２番端子へ装置をオンとする信号が与えられると、トランジスタＱ３がオンとされ、コンデンサＣ１０に電荷が蓄積されて昇圧回路５と２石駆動回路４へ電源供給が行われる。
【００３３】
コンデンサＣ１に蓄積された電圧は昇圧駆動回路５により昇圧されてコンデンサＣ２へ蓄積される。コンデンサＣ２に蓄積された電圧は昇圧トランスＴ１により昇圧されて２次側巻線Ｐ４へ至り、放電灯６へ印加される。２石駆動回路４の発振によって、２石駆動回路４に接続されたコンデンサ４の電圧が図６（Ｃ）の如く三角波状に上昇するが、発振停止回路７の出力信号によりトランジスタＱ４がオンとされ、三角波電圧がゼロとなる発振停止期間が生じ、調光信号における次の１周期の開始により再び三角波状にコンデンサ４の電圧上昇が始まる。２石駆動回路４の発振周波数を、上記調光信号の周波数よりも低く設定しているため、２石駆動回路４から出力される制御信号ＯＵＴ２と制御信号ＯＵＴ３には、図６（Ｄ）、（Ｅ）に明らかなようにデッドタイムが生じ、ＦＥＴ２とＦＥＴ３とが同時にオンとなり破壊が生じる不具合を確実に防止する。
【００３４】
ＦＥＴ２、３に対する駆動により所要周波数の高周波が昇圧トランスＴ１の１次側巻線Ｐ１、Ｐ２から２次巻線Ｐ４を介して放電灯６へ与えられ、放電灯６が高周波駆動されて点灯する。
【００３５】
図７（ａ）〜図７（ｃ）には、上記第１の実施例の装置において、調光信号（ｃｈ1に示す）の周波数をそれぞれ、９０ＫＨｚ、１００ＫＨｚ、１１０ＫＨｚとした場合の発振停止回路７の出力（ｃｈ2に示す）及び放電灯６におけるランプ電圧Ｖ（ｃｈ3に示す）とランプ電流Ｉ（ｃｈ4に示す）が示されている。ランプ電圧Ｖが概ね方形波のように変化するのに対し、ランプ電流Ｉはランプ電圧Ｖに変化のある部分において大きな値をとり、ランプ電圧Ｖの方形波のフラットな部分ではゼロとなっている。調光信号の周波数９０ＫＨｚ、１００ＫＨｚ、１１０ＫＨｚに対応して、点灯周波数は４４．８２ＫＨｚ、５１．０４ＫＨｚ、５６．２７ＫＨｚと変化した。そして、それぞれのときにランプ光量は５５ＫＬｘ、６５ＫＬｘ、７５ＫＬｘであり、微小な光量変化を実現することができた。
【００３６】
上記の如き第１の実施例に係る放電灯点灯装置を用いたファクシミリ装置等は、例えば、図８に示すように、放電灯５１により原稿５０を照射して、反射光を図示しない光学系を用いてＣＣＤなどのイメージセンサ５３に集光し、原稿イメージを光電変換して画像信号を得て、画像処理部５４へ送り処理する構成を備えている。このように、原稿露光装置は、放電灯点灯装置と、この放電灯点灯装置により点灯させられ、原稿を照射する放電灯と、原稿５０に照射された光をイメージセンサに導く光学系とを具備する。画像処理部５４において処理された画像情報は、ファクシミリ装置であれば送信部などの出力部５６へ送られて処理される。
【００３７】
イメージセンサ５３に対しては、画像処理部５４から例えば１ラインの読取り時間に対応する読取同期信号が与えられ、イメージセンサ５３は上記読取同期信号に同期して１ライン毎の画像信号を画像処理部５４へ送り出す。上記読取同期信号は放電灯を点灯する放電灯点灯装置５２に対しても与えられており、放電灯点灯装置５２はこれに同期させて調光信号を出力する。オペレータが操作する操作部５５からは、装置のオンオフを制御する信号が放電灯点灯装置５２及び画像処理部５４へ与えられる。この原稿露光装置によれば、微小な光量変化を実現することができる。
【実施例２】
【００３８】
図９に第２の実施例に係る放電灯点灯装置の構成図を示す。本実施例において用いられる放電灯６Ａは、点灯時において発光色に青色を含んだ光照射を行うものである。放電灯６Ａのこれ以外の構成については、既に図２〜図５を用いて説明した通りであり、重複する説明を省略するが、次のような点が問題となる。
【００３９】
この放電灯６Ａは、高周波パルス電圧などの繰り返し波形を有する電圧を電極間に印加することにより点灯させられるのであるが、色発光蛍光体の種類により残光時間に差異がある。つまり、赤色発光蛍光体及び緑色発光蛍光体においては残光時間が長く、そのために繰り返し波形の印加電圧の１周期中に生じる発光量の変化は比較的少ない。これに対して、青色発光蛍光体は、残光時間が短く、従って上記１周期中に生じる発光量変化が大きい。このため、イメージセンサの読取周期中において青色発光蛍光体によって発光される積算光量は、当該周期中に印加される繰り返し波形の電圧波の数によって大きく変化することになる。本実施例では、放電灯６Ａは、発光色として少なくとも青色光を含んでいるために、上記電圧波の数が問題となる。
【００４０】
そこで、本実施例では、イメージセンサにおける読取りの同期信号を用いて、第１の実施例にて用いた調光信号に対して、イメージセンサの読取周期毎に同期期間を設けたクロックを発生するクロック発生回路２１を備えている。図１０においては、イメージセンサにおける読取りの同期信号を（Ｆ）に示し、クロック発生回路２１により発生された信号を（Ａ）に示している。
【００４１】
クロック発生回路２１により発生されたクロックは、入力部ＣＮ１中の４番端子を介して発振停止回路７Ａに供給される。本第２の実施例においても、２石駆動回路４における発振を発振停止回路７Ａにより停止させる構成を採用する。即ち、クロック発生回路２１により発生された信号を発振停止回路７Ａに導き、発振停止回路７Ａが図１０（Ａ）に示す信号の１周期毎に及び同期期間に所定のパルス幅を有するパルスを発生する。この発振停止回路７Ａにより発生された信号を図１０（Ｂ）に示す。発振停止回路７Ａは、ＮＡＮＤゲート回路（ＣＭＯＳ−ＩＣ）にて調光信号とイメージセンサにおける読取りの周期に同期した信号（図１０（Ｂ））を発生するものである。調光信号は水晶発振子などの高速・高精度な発振回路により作成されるものである。このため、発振停止回路７を構成する素子も７４ＨＣシリーズ（ＣＭＯＳ）などのゲートＩＣ（ＮＡＮＤ、ＡＮＤ、ＯＲ、インバータ等）により作成することが望ましい。
【００４２】
この第２の実施例においては、上記の構成以外は第１の実施例と等しい構成を具備している。以上のように構成された放電灯点灯装置において電源がオンとなると、発振停止回路７Ａと２石駆動回路４とに係る動作は以下のようになされる。２石駆動回路４では発振によって、２石駆動回路４に接続されたコンデンサ４の電圧が図１０（Ｃ）の如く三角波状に上昇するが、発振停止回路７Ａの出力信号によりトランジスタＱ４がオンとされ、三角波電圧がゼロとなる発振停止期間が生じ、調光信号の次の１周期の開始により再び三角波状にコンデンサ４の電圧上昇が始まる。２石駆動回路４の発振周波数を、上記調光信号の周波数よりも低く設定しているため、２石駆動回路４から出力される制御信号ＯＵＴ２と制御信号ＯＵＴ３には、図１０（Ｄ）、（Ｅ）に明らかなようにデッドタイムが生じ、ＦＥＴ２とＦＥＴ３とが同時にオンとなり破壊が生じる不具合を確実に防止する。また、クロック発生回路２１の出力に関して考察すると、イメージセンサにおける読取りの同期信号の周波数は常に一定であり、この１周期毎に周波数が変更される調光信号を入れ込んだ信号がクロック発生回路２１の出力である。調光信号の周波数を選択した後においては、従って、イメージセンサにおける読取りの１周期に含まれる調光信号のクロックは一定数となり、各読取り周期において青色発光蛍光体によって発光される積算光量は一定に保たれ安定的な読取りを可能とする。
【００４３】
図１１（ａ）〜図１１（ｃ）には、上記第２の実施例の装置において、クロック信号の周波数をそれぞれ、８４ＫＨｚ、１００ＫＨｚ、１０８ＫＨｚとした場合のイメージセンサにおける読取りの同期信号（ｃｈ1に示す）、発振停止回路７Ａの出力（ｃｈ2に示す）及び放電灯６Ａにおけるランプ電圧Ｖ（ｃｈ3に示す）とランプ電流Ｉ（ｃｈ4に示す）が示されている。ランプ電圧Ｖが概ね方形波のように変化するのに対し、ランプ電流Ｉはランプ電圧Ｖに変化のある部分において大きな値をとり、ランプ電圧Ｖの方形波のフラットな部分ではゼロとなっている。また、イメージセンサにおける読取りの同期信号の周波数はどの場合も４．６６４ＫＨｚと一定であり、クロック発生回路２１から出力されるクロックの周波数が８４ＫＨｚ、１００ＫＨｚ、１０８ＫＨｚと変化することに対応して、点灯周波数は４２．６１ＫＨｚ、４９．３１ＫＨｚ、５３．９０ＫＨｚと変化した。そして、それぞれのときにランプ光量は５０ＫＬｘ、６０ＫＬｘ、７０ＫＬｘであり、微小な光量変化を実現することができた。
【００４４】
上記の如き第２の実施例に係る放電灯点灯装置を用いたファクシミリ装置等の原稿露光装置は、既に説明した図８に示すような構成にて実現される。放電灯５１として図９の放電灯６Ａが用いられる。放電灯点装置５２として図９の放電灯点灯装置が適用される。その他の構成は、第１の実施例に係る放電灯点灯装置を用いたファクシミリ装置等の原稿露光装置と同様である。係る原稿露光装置においては、微小な光量変化を実現することができると共に各読取り周期において青色発光蛍光体によって発光される積算光量は一定に保たれ安定的な読取りを可能とする。
【図面の簡単な説明】
【００４５】
【図１】本発明に係る放電灯点灯装置における第１の実施例の構成を示す回路図。
【図２】本発明に係る放電灯点灯装置に用いる放電灯の外観を示す図。
【図３】図２に示した放電灯の縦断面図。
【図４】図２に示した放電灯の外部電極及び透光性樹脂シートの展開図。
【図５】図２に示した放電灯の等価回路を示す図。
【図６】本発明に係る放電灯点灯装置における第１の実施例に係る各部の信号波形を示すタイミングチャート。
【図７】本発明に係る放電灯点灯装置における第１の実施例により実現される点灯周波数の変化を示す波形図。
【図８】本発明に係る放電灯点灯装置を用いて構成する原稿露光装置の概略ブロック図。
【図９】本発明に係る放電灯点灯装置における第２の実施例の構成を示す回路図。
【図１０】本発明に係る放電灯点灯装置における第２の実施例に係る各部の信号波形を示すタイミングチャート。
【図１１】本発明に係る放電灯点灯装置における第２の実施例により実現される点灯周波数の変化を示す波形図。
【符号の説明】
【００４６】
１  ＦＥＴ（昇圧チョッパ回路のスイッチング素子）
２  ＦＥＴ（インバータ回路のスイッチング素子）
３  ＦＥＴ（インバータ回路のスイッチング素子）
４  ２石駆動回路
５  昇圧駆動回路
６、６Ａ  放電灯
７、７Ａ  発振停止回路
１１  放電容器
１２  蛍光体層
１３  外部電極
１４  アパーチャ
１５  透光性樹脂シート
１６  透光性絶縁チューブ
２０  調光信号発生回路
２１  クロック発生回路
Ｔ１  昇圧トランス
【図１】
2005190955.tif 000003
【図２】
2005190955.tif 000004
【図３】
2005190955.tif 000005
【図４】
2005190955.tif 000006
【図５】
2005190955.tif 000007
【図６】
2005190955.tif 000008
【図７】
2005190955.tif 000009
【図８】
2005190955.tif 000010
【図９】
2005190955.tif 000011
【図１０】
2005190955.tif 000012
【図１１】
2005190955.tif 000013